(57)【要約】【課題】番組の放送年月日等を覚えていない利用者がカラオケ歌唱を行う際、当該番組で使用された楽曲を推奨可能な携帯端末を提供する。【解決手段】放送される番組に関する番組情報と、番組で使用される楽曲の識別情報を含む楽曲情報とを関連付けた番組データに基づいて、番組のリストを表示させるリスト表示処理部、表示されたリストから利用者が録画予約を希望する番組を選択した場合、当該番組を録画予約するための信号を録画機器に送信する録画予約設定部、選択された番組に関連付けられている楽曲の識別情報を記憶する識別情報記憶部、利用者がカラオケ装置を利用する際、記憶された識別情報に対応する楽曲を推奨楽曲として表示する楽曲表示処理部、を有する携帯端末。【選択図】図４
2019174720.tif 000002
【特許請求の範囲】
【請求項１】
カラオケ装置及び録画機器と通信可能に接続される携帯端末であって、
放送される番組に関する番組情報と、番組で使用される楽曲の識別情報を含む楽曲情報とを関連付けた番組データに基づいて、番組のリストを表示させるリスト表示処理部と、
表示された前記リストから利用者が録画予約を希望する番組を選択した場合、当該番組を録画予約するための信号を前記録画機器に送信する録画予約設定部と、
選択された前記番組に関連付けられている楽曲の識別情報を記憶する識別情報記憶部と、
前記利用者が前記カラオケ装置を利用する際、記憶された前記識別情報に対応する楽曲を推奨楽曲として表示する楽曲表示処理部と、
を有する携帯端末。
【請求項２】
表示された前記推奨楽曲の中から前記利用者がカラオケ歌唱の予約を希望する楽曲を選択した場合、当該楽曲の識別情報を前記カラオケ装置に送信する楽曲予約設定部を有することを特徴とする請求項１記載の携帯端末。
【請求項３】
カラオケ装置及び録画機器と通信可能に接続される携帯端末で実行されるプログラムであって、
前記携帯端末を、
放送される番組に関する番組情報と、番組で使用される楽曲の識別情報を含む楽曲情報とを関連付けた番組データに基づいて、番組のリストを表示させるリスト表示処理部、
表示された前記リストから利用者が録画予約を希望する番組を選択した場合、当該番組を録画予約するための信号を前記録画機器に送信する録画予約設定部、
選択された前記番組に関連付けられている楽曲の識別情報を記憶する識別情報記憶部、
前記利用者が前記カラオケ装置を利用する際、記憶された前記識別情報に対応する楽曲を推奨楽曲として表示する楽曲表示処理部、
として機能させるためのプログラム。
【発明の詳細な説明】
【技術分野】
【０００１】
本発明は携帯端末、及び携帯端末で実行されるプログラムに関する。
【０００２】
カラオケ装置でカラオケ歌唱を行う場合、利用者は、電子目次本に楽曲名や歌手名を入力して検索を行うことで所望の楽曲を選択する。またこの際、利用者が所有する携帯端末とカラオケ装置とをペアリングすることにより、携帯端末を電子目次本として用いることができる。
【０００３】
ところで、カラオケ装置の利用者の中には、テレビドラマの主題歌や歌番組で歌唱されていた楽曲等、過去に視聴した番組で使用された楽曲をカラオケ歌唱したいと考える利用者もいる。その際、視聴した番組名や放送年月日を記憶していても、楽曲名や歌手名を覚えていない場合には、楽曲の検索が困難である。従って、利用者は、楽曲の選択に時間を要したり、選択自体ができない可能性もありうる。
【０００４】
このような問題に対し、特許文献１には、利用者が入力した番組の放送年月日と放送局名に対応する番組表を表示させ、その中から選択された番組に対応する楽曲を提示する技術が開示されている。また、特許文献２には、利用者が入力した番組の放送年月日に対する番組表を表示する際に、カラオケ装置にて演奏回数の多い楽曲を識別可能に表示しつつ、その中から選択された番組に対応する楽曲を提示する技術が開示されている。
【先行技術文献】
【特許文献】
【０００５】
【特許文献１】特開２００３−１５６７０号公報
【特許文献２】特開２０１８−４９２４号公報
【発明の概要】
【発明が解決しようとする課題】
【０００６】
ここで、特許文献１及び特許文献２の技術によれば、番組の放送年月日を入力する必要がある。すなわち、利用者が番組の放送年月日を正確に覚えていない場合には対応する番組表を表示することができず、番組で使用された楽曲を提示することもできない。
【０００７】
本発明の目的は、番組の放送年月日等を覚えていない利用者がカラオケ歌唱を行う際、当該番組で使用された楽曲を推奨可能な携帯端末、及びプログラムを提供することにある。
【課題を解決するための手段】
【０００８】
上記目的を達成するための主たる発明は、カラオケ装置及び録画機器と通信可能に接続される携帯端末であって、放送される番組に関する番組情報と、番組で使用される楽曲の識別情報を含む楽曲情報とを関連付けた番組データに基づいて、番組のリストを表示させるリスト表示処理部と、表示された前記リストから利用者が録画予約を希望する番組を選択した場合、当該番組を録画予約するための信号を前記録画機器に送信する録画予約設定部と、選択された前記番組に関連付けられている楽曲の識別情報を記憶する識別情報記憶部と、前記利用者が前記カラオケ装置を利用する際、記憶された前記識別情報に対応する楽曲を推奨楽曲として表示する楽曲表示処理部と、を有する携帯端末である。
本発明の他の特徴については、後述する明細書及び図面の記載により明らかにする。
【発明の効果】
【０００９】
本発明によれば、番組の放送年月日等を覚えていない利用者がカラオケ歌唱を行う際、当該番組で使用された楽曲を推奨できる。
【図面の簡単な説明】
【００１０】
【図１】実施形態に係る携帯端末、カラオケ装置、サーバ装置、及び録画機器を示した概略図である。
【図２】実施形態に係る番組データを示す図である。
【図３】実施形態に係る携帯端末のハードウェア構成を示す図である。
【図４】実施形態に係る携帯端末のソフトウェア構成を示す図である。
【図５Ａ】実施形態に係る携帯端末の動作を示すフローチャートである。
【図５Ｂ】実施形態に係る携帯端末の動作を示すフローチャートである。
【発明を実施するための形態】
【００１１】
図１〜図５Ｂを参照して、本実施形態に係る携帯端末について説明する。図１は、本実施形態に係る携帯端末Ｍ、カラオケ装置Ｋ、録画機器Ｒ、及びサーバ装置Ｓを示した図である。
【００１２】
携帯端末Ｍは、利用者が所有するスマートフォン等である。携帯端末Ｍには、専用アプリケーションソフトウェア（以下、「専用アプリ」）がインストールされている。専用アプリは、携帯端末Ｍを介して録画機器Ｒに録画予約を実行させるためのモード（録画予約モード）、及びカラオケ装置Ｋを利用する際に使用するモード（カラオケモード）を実行できる。専用アプリは、サーバ装置Ｓや、サーバ装置Ｓが提供するＷｅｂサイトからダウンロードすることで入手できる。
【００１３】
カラオケ装置Ｋは、利用者が選曲した楽曲のカラオケ演奏、及び利用者がカラオケ歌唱を行うための装置である。
【００１４】
録画機器Ｒは、テレビで放送される番組を録画するための機器である。具体的に、録画機器Ｒは、ＨＤＤレコーダー（ＤＶＤ、ＢＤレコーダー）、録画機能を有するテレビ受像機等である。
【００１５】
携帯端末Ｍとカラオケ装置Ｋ及び録画機器Ｒとは、ペアリングされることで互いに通信可能となる。ペアリングは公知の手法を利用することができる。携帯端末Ｍとカラオケ装置Ｋとのペアリングは、たとえば、カラオケ装置Ｋが設置されたカラオケルームへの入室後、専用アプリを起動させた場合に実行される。ペアリングされた後、利用者は、専用アプリを利用して、カラオケ装置Ｋに付属するリモコン装置と同様の操作（楽曲の予約等）を行うことができる。携帯端末Ｍと録画機器Ｒとのペアリングは、たとえば、録画機器Ｒの電源をオンにし、且つ専用アプリを起動させることで実行される。ペアリングされた後、利用者は、専用アプリを利用して、録画機器Ｒに付属するリモコン装置と同様の操作（番組の録画予約等）を行うことができる。
【００１６】
サーバ装置Ｓは、カラオケ装置Ｋに関する各種情報を管理したり、カラオケ装置Ｋから送信される情報処理を行うコンピュータである。カラオケ装置Ｋとサーバ装置Ｓとは、ネットワークを介して通信可能に接続されている。ネットワークは、たとえば公衆電話回線網やインターネット回線等の伝送路である。また、本実施形態に係る携帯端末Ｍは、専用アプリを利用することでサーバ装置Ｓと通信可能となる。
【００１７】
本実施形態に係るサーバ装置Ｓは、番組データを記憶している。番組データは、番組情報と楽曲情報とを関連付けたデータである。図２は、サーバ装置Ｓが記憶する番組データの例を示す。
【００１８】
番組情報は、テレビで放送される番組に関する情報である。具体例としては図２に示したように、番組の識別情報（番組ＩＤ）、番組を放送する放送局名、放送年月日、放送曜日、放送開始及び終了時間、番組名である。なお、番組情報は、図２に示した情報以外に、番組のジャンル（歌番組、ドラマ）等を含んでいてもよい。
【００１９】
楽曲情報は、番組で使用される楽曲の識別情報を含む情報である。具体的に、楽曲情報は、楽曲の識別情報（楽曲ＩＤ）、楽曲名、歌手名等である。図２の例では、一の番組情報に対して一の楽曲情報が関連付けられている。一方、一の番組に対しては、主題歌やエンディングテーマ、挿入歌等、様々な楽曲が使用される。従って、一の番組情報に対して、番組中で使用される複数の楽曲に関する楽曲情報が関連付けられていてもよい。なお、番組情報と関連付けられる楽曲情報は、カラオケ装置Ｓでカラオケ演奏可能な楽曲に関するものに限られる。
【００２０】
番組データは、定期的に更新される。サーバ装置Ｓは、放送予定が決まった新たな番組について番組データを登録する。一方、サーバ装置Ｓは、放送年月日及び放送終了時間が経過した番組の番組データを削除する。また、サーバ装置Ｓは、専用アプリ上で録画予約モードを選択した携帯端末Ｍに対し、その時点における最新の番組データを送信する。
【００２１】
＝＝携帯端末＝＝
図３に示すように、携帯端末Ｍは、記憶部１０、通信部１１、表示部１２、入力部１３、放音部１４、及び制御部１５を備える。
【００２２】
［記憶部、通信部、表示部、入力部、通話部］
記憶部１０は、各種のデータを記憶する大容量の記憶装置である。本実施形態に係る記憶部１０は、サーバ装置Ｓから受信した番組データや、カラオケ装置Ｋでカラオケ歌唱が可能な楽曲に関する情報（楽曲ＩＤ、楽曲名、歌手名等）を記憶する。通信部１１は、サーバ装置Ｓや、ペアリングされたカラオケ装置Ｋ及び録画機器Ｒとの接続を行うためのインターフェースを提供する。表示部１２は、各種情報を表示させるディスプレイである。入力部１３は、利用者が各種指示入力を行うための構成である。入力部１３は、たとえば、利用者からの音声入力を受け付けるためのマイクや、利用者が各情報を入力するための操作ボタンである。表示部１２をタッチパネル形式で構成し、入力部１３として用いてもよい。放音部１４は、たとえば、携帯端末Ｍに備えられたスピーカである。
【００２３】
［制御部］
制御部１５は、携帯端末Ｍにおける各種の制御を行う。制御部１５は、ＣＰＵおよびメモリ（いずれも図示無し）を備える。
【００２４】
図４は携帯端末Ｍのソフトウェア構成例を示す図である。携帯端末Ｍは、リスト表示処理部１００、録画予約設定部２００、識別情報記憶部３００、楽曲表示処理部４００、及び楽曲予約設定部５００を含む。識別情報記憶部３００は、記憶部１０の記憶領域の一部として提供される。リスト表示処理部１００、録画予約設定部２００、楽曲表示処理部４００、及び楽曲予約設定部５００は、制御部１５のＣＰＵがメモリに記憶されるプログラムを実行することにより実現される。
【００２５】
（リスト表示処理部）
リスト表示処理部１００は、番組データに基づいて、番組のリストを表示させる。
【００２６】
携帯端末Ｍを介して録画予約を行う場合、利用者は、携帯端末Ｍで専用アプリを起動させる。そして、利用者は、表示部１２に表示されるモード選択画面で「録画予約モード」を選択する。この場合、携帯端末Ｍは、サーバ装置Ｓに対して番組データの送信要求を行う。サーバ装置Ｓは、携帯端末Ｍに対し、最新の番組データを送信する。リスト表示処理部１００は、受信した番組データに基づいて番組のリストを表示させる。番組リストは、たとえば、Ｇガイド（登録商標）のように、放送開始時間及び終了時間に応じて複数の番組名を一覧表示するものである。利用者は、番組のリストを見ながら、入力部１３を介し、録画予約を希望する番組を選択する。
【００２７】
（録画予約設定部）
録画予約設定部２００は、表示されたリストから利用者が録画予約を希望する番組を選択した場合、当該番組を録画予約するための信号を録画機器Ｒに送信する。
【００２８】
上記例において、利用者が番組Ａ（図２参照）を選択したとする。この場合、録画予約設定部２００は、番組Ａを録画予約するための信号として、番組Ａの番組ＩＤを録画機器Ｒに送信する。録画機器Ｒは、当該信号に基づいて番組Ａの録画予約を実行する。
【００２９】
（識別情報記憶部）
識別情報記憶部３００は、選択された番組に関連付けられている楽曲の識別情報を記憶する。
【００３０】
上記例において、利用者が番組Ａを選択した場合、録画予約設定部２００は、番組Ａの番組データに含まれる楽曲Ｘ（図２参照）の楽曲ＩＤを識別情報記憶部３００に出力する。識別情報記憶部３００は、楽曲Ｘの楽曲ＩＤを記憶する。なお、録画予約部２００は、楽曲ＩＤと共に、楽曲Ｘの楽曲情報に含まれる楽曲名等を出力してもよい。この場合、識別情報記憶部３００は、楽曲ＩＤと関連付けて楽曲名等を記憶する。また、録画予約部２００は、楽曲ＩＤと共に、選択された番組に関する放送年月日、番組名、ジャンル等の番組情報を出力してもよい。この場合、識別情報記憶部３００は、楽曲ＩＤと関連付けて番組情報を記憶する。
【００３１】
（楽曲表示処理部）
楽曲表示処理部４００は、利用者がカラオケ装置Ｋを利用する際、記憶された識別情報に対応する楽曲を推奨楽曲として表示する。
【００３２】
利用者がカラオケ装置Ｋを利用する際、カラオケ装置Ｋに対し、携帯端末Ｍを介して各種操作を行うとする。この場合、利用者は、カラオケ装置Ｋが設置されている部屋に入室後、携帯端末Ｍで専用アプリを起動させる。専用アプリの起動により、カラオケ装置Ｋと携帯端末Ｍはペアリングされる。その後、利用者は、表示部１２に表示されるモード選択画面で「カラオケモード」を選択する。利用者は、携帯端末Ｍを介してカラオケ歌唱の予約等を行うことができる。カラオケモードを選択した後、所定時間に渡って楽曲の予約がなされない場合、楽曲表示処理部４００は、識別情報記憶部３００に記憶された識別情報に対応する楽曲を推奨楽曲として表示する。たとえば、楽曲表示処理部４００は、識別情報記憶部３００に記憶されている楽曲ＩＤに対応する楽曲を推奨楽曲として特定する。楽曲表示処理部４００は、記憶部１３（または識別情報記憶部３００）に記憶されているデータを参照し、特定された推奨楽曲の楽曲ＩＤに対応する楽曲名を表示部１２に表示させる。
【００３３】
なお、楽曲表示処理部４００は、利用者がカラオケモードを選択した後、直ぐに（所定時間の経過を待たずに）記憶された識別情報に対応する楽曲を推奨楽曲として表示部１２に表示してもよい。
【００３４】
また、楽曲表示処理部４００は、記憶された識別情報に対応する楽曲が所定以上の曲数となった時に推奨楽曲として表示部１２に表示させてもよい。或いは、楽曲表示処理部４００は、識別情報記憶部３００に記憶されている楽曲の放送年月日や番組のジャンル等の番組情報を用いて、対応する楽曲を推奨楽曲として表示部１２に表示させてもよい。このような構成にすることにより、たとえば、識別情報記憶部３００に記憶されている楽曲の中から、直近に録画予約された番組の楽曲を推奨楽曲としたり、利用者が番組の放送年代（例えば１９８０年代や２０００年代等）を指定し、指定した放送年代に対応する楽曲を推奨楽曲としたり、さらに、利用者が良く視聴している番組ジャンル（歌番組やドラマ等）の楽曲を優先的に推奨楽曲として表示部１２に表示させることが可能となる。
【００３５】
（楽曲予約設定部）
楽曲予約設定部５００は、表示された推奨楽曲の中から利用者がカラオケ歌唱の予約を希望する楽曲を選択した場合、当該楽曲の識別情報をカラオケ装置Ｋに送信する。
【００３６】
上記例において、表示部１２に表示された推奨楽曲の中から、利用者が入力部１３を介してカラオケ歌唱の予約を希望する楽曲Ｘを選択したとする。この場合、楽曲予約設定部５００は、楽曲Ｘの楽曲ＩＤをカラオケ装置Ｋに送信する。カラオケ装置Ｋは、楽曲Ｘの楽曲ＩＤを予約待ち行列に登録し、予約順に応じて楽曲Ｘのカラオケ演奏を行う。
【００３７】
＝＝携帯端末における動作について＝＝
次に、図５Ａ及び図５Ｂを参照して本実施形態に係る携帯端末Ｍにおける動作の具体例について述べる。図５Ａは、携帯端末Ｍ１において録画予約を行う際の動作を示すフローチャートである。図５Ｂは、携帯端末Ｍ１において楽曲予約を行う際の動作を示すフローチャートである。
【００３８】
［録画予約］
利用者は、携帯端末Ｍで専用アプリを起動させ、「録画予約モード」を選択する。携帯端末Ｍは、録画予約モードを開始する（録画予約モードの開始。ステップ１０）。携帯端末Ｍは、サーバ装置Ｓに対して番組データの送信要求を行う。サーバ装置Ｓは、携帯端末Ｍに対し、最新の番組データを送信する。
【００３９】
リスト表示処理部１００は、受信した番組データに基づいて、番組のリストを表示させる（番組のリストを表示。ステップ１１）。利用者は、番組のリストを見ながら入力部１３を介し、録画予約を希望する番組を選択する。
【００４０】
録画予約設定部２００は、ステップ１１で表示されたリストから利用者が録画予約を希望する番組を選択した場合、当該番組を録画予約するための信号を録画機器Ｒに送信する（録画予約の信号を送信。ステップ１２）。録画機器Ｒは、ステップ１２で送信された信号に基づいて、番組の予約、及び録画を実行する。
【００４１】
利用者が録画予約を希望する番組を選択した場合、録画予約設定部２００は、番組データを参照し、当該番組の番組情報に対応する楽曲情報に含まれる楽曲の楽曲ＩＤを識別情報記憶部３００に出力する（番組で使用される楽曲の楽曲ＩＤを出力。ステップ１３）。識別情報記憶部３００は、楽曲Ｘの楽曲ＩＤを記憶する（楽曲ＩＤの記憶。ステップ１４）。
【００４２】
［楽曲予約］
利用者は、携帯端末Ｍで専用アプリを起動させ、「カラオケモード」を選択する。携帯端末Ｍは、カラオケモードを開始する（カラオケモードの開始。ステップ２０）。
【００４３】
カラオケモードの開始後、所定時間に渡って楽曲の予約がなされない場合（ステップ２１でＹの場合）、楽曲表示処理部４００は、識別情報記憶部３００に記憶された識別情報に対応する楽曲を推奨楽曲として表示する（推奨楽曲の表示。ステップ２２）。
【００４４】
ステップ２２で表示された推奨楽曲の中から利用者がカラオケ歌唱の予約を希望する楽曲を選択した場合、楽曲予約設定部５００は、当該楽曲の識別情報をカラオケ装置Ｋに送信する（楽曲の予約設定。ステップ２３）。カラオケ装置Ｋは、楽曲Ｘのカラオケ演奏を行う。
【００４５】
以上から明らかなように、本実施形態に係る携帯端末Ｍは、カラオケ装置Ｋ及び録画機器Ｒと通信可能に接続される。携帯端末Ｍは、放送される番組に関する番組情報と、番組で使用される楽曲の識別情報を含む楽曲情報とを関連付けた番組データに基づいて、番組のリストを表示させるリスト表示処理部１００と、表示されたリストから利用者が録画予約を希望する番組を選択した場合、当該番組を録画予約するための信号を録画機器Ｒに送信する録画予約設定部２００と、選択された番組に関連付けられている楽曲の識別情報を記憶する識別情報記憶部３００と、利用者がカラオケ装置Ｋを利用する際、記憶された識別情報に対応する楽曲を推奨楽曲として表示する楽曲表示処理部４００と、を有する。
【００４６】
このような携帯端末Ｍによれば、利用者がカラオケ歌唱を行う際、当該利用者が録画予約を行った番組で使用された楽曲が推奨楽曲として自動的に表示される。従って、利用者は、楽曲名や歌手名、或いは番組の放送年月日等を忘れていても、番組で使用される楽曲を選曲できる。すなわち、本実施形態に係る携帯端末Ｍによれば、番組の放送年月日等を覚えていない利用者がカラオケ歌唱を行う際、当該番組で使用された楽曲を推奨できる。
【００４７】
また、本実施形態に係る携帯端末Ｍは、表示された推奨楽曲の中から利用者がカラオケ歌唱の予約を希望する楽曲を選択した場合、当該楽曲の識別情報をカラオケ装置Ｋに送信する楽曲予約設定部５００を有することができる。このような携帯端末Ｍによれば、推奨楽曲のカラオケ歌唱を予約できる。
【００４８】
更に、本実施形態におけるプログラムは、カラオケ装置Ｋ及び録画機器Ｒと通信可能に接続される携帯端末Ｍで実行される。当該プログラムは、携帯端末Ｍを、放送される番組に関する番組情報と、番組で使用される楽曲の識別情報を含む楽曲情報とを関連付けた番組データに基づいて、番組のリストを表示させるリスト表示処理部１００、表示されたリストから利用者が録画予約を希望する番組を選択した場合、当該番組を録画予約するための信号を録画機器Ｒに送信する録画予約設定部２００、選択された番組に関連付けられている楽曲の識別情報を記憶する識別情報記憶部３００、利用者がカラオケ装置Ｋを利用する際、記憶された識別情報に対応する楽曲を推奨楽曲として表示する楽曲表示処理部４００、として機能させる。このようなプログラムによれば、番組の放送年月日等を覚えていない利用者がカラオケ歌唱を行う際、携帯端末Ｍにおいて、当該番組で使用された楽曲を推奨できる。
【００４９】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００５０】
１００  リスト表示処理部
２００  録画予約設定部
３００  識別情報記憶部
４００  楽曲表示処理部
５００  楽曲予約設定部
Ｋ  カラオケ装置
Ｍ  携帯端末
Ｒ  録画機器
Ｓ  サーバ装置
【図１】
2019174720.tif 000003
【図２】
2019174720.tif 000004
【図３】
2019174720.tif 000005
【図４】
2019174720.tif 000006
【図５Ａ】
2019174720.tif 000007
【図５Ｂ】
2019174720.tif 000008